(57)【要約】トラックロックアセンブリ１００は、爪軸１１６から延在し、スロット２０と係合する爪アーム１１２と、爪軸１１６から延在し、爪アーム１１２がスロット２０と係合するように爪アセンブリ１１０を枢動させるためにスライダカム１１９と係合する爪カム１１８を有するカムアーム１１４とを備える爪アセンブリ１１０を含む。トラックロックアセンブリ１００は、コンプライアント部材１６０と、ロック軸１５６から延在する第１のロックアーム１５２、及び第１のロックアーム１５２のロック施錠位置とロック開錠位置との間の回転を付勢するアクチュエータ１７０を備える位置ロックアセンブリ１５０とをさらに含み、第１のロックアーム１５２は、ロック施錠位置にあるときに、爪施錠位置にあるカムアーム１１４と係合して保持し、ロック開錠位置では、コンプライアント部材１６０が爪アセンブリ１１０を爪開錠位置へと付勢できるように、カムアーム１１４と係合解除する。【選択図】図４
2018522771.tif 000002
【特許請求の範囲】
【請求項１】
爪アセンブリと；
位置ロックアセンブリとを備え；
前記爪アセンブリは、
爪軸から延在し、スライダアセンブリのスロットと係合するように構成された爪アームと、
前記爪軸から前記爪アームとは実質的に反対側に延在し、爪カムを有するカムアームと、
前記爪アームが前記スロットと係合して前記スライダアセンブリから延在するスライダカムから前記爪カムが係合解除するような爪施錠位置から、前記爪アームが前記スロットから離れるように偏倚されて前記爪カムが前記スライダアセンブリから延在する前記スライダカムとの接触側に偏倚されるような爪開錠位置へと、前記爪アセンブリの前記爪軸周りの回転を付勢するように構成されたコンプライアント部材とを備える；
トラックロックアセンブリ。
【請求項２】
前記位置ロックアセンブリは、ロック軸から延在する第１のロックアームと、前記第１のロックアームのロック施錠位置とロック開錠位置との間の回転を付勢するように構成されたアクチュエータとを備え、
前記第１のロックアームは、前記第１のロックアームが前記ロック施錠位置にあるときに前記爪施錠位置にある前記カムアームと係合して保持し、前記ロック開錠位置では、前記コンプライアント部材が前記爪アセンブリを前記爪開錠位置へと付勢できるように、前記カムアームと係合解除するように構成されている、
請求項１に記載のトラックロックアセンブリ。
【請求項３】
前記スライダアセンブリは、前記スライダアセンブリの移動が、前記スライダカムと前記爪カムとの接触及び前記爪アセンブリの前記爪施錠位置への回転を付勢するように、前記スライダカム及び前記スロットを前記爪軸に対して実質的に垂直に摺動させるように構成されている、
請求項１又は請求項２に記載のトラックロックアセンブリ。
【請求項４】
前記位置ロックアセンブリがロック施錠位置にあるときに第１の表示を提供し、前記位置ロックアセンブリがロック開錠位置にあるときに第２の表示を提供するように構成されたセンサをさらに備える、
請求項２又は請求項３に記載のトラックロックアセンブリ。
【請求項５】
前記位置ロックアセンブリの移動に影響を与えない第１の構成と、前記位置ロックアセンブリがロック開錠位置へと付勢される第２の構成とを有する手動ロックアセンブリをさらに備える、
請求項２乃至請求項４のいずれか１項に記載のトラックロックアセンブリ。
【請求項６】
前記位置ロックアセンブリが、前記爪アセンブリを前記爪施錠位置に保持するために前記爪アセンブリと係合することと、前記爪アセンブリの前記爪施錠位置と前記爪開錠位置との間の移動に影響を与えない前記爪アセンブリと係合解除することと、を選択可能に構成されたアクチュエータを備える、
請求項１に記載のトラックロックアセンブリ。
【請求項７】
前記スライダアセンブリは、前記スライダアセンブリの移動が、前記スライダカムと前記爪カムとの接触を付勢すると共に、前記爪アセンブリの前記爪施錠位置への回転を付勢するように、前記スライダカム及び前記スロットを前記爪軸に対して実質的に垂直に摺動させるように構成されている、
請求項６に記載のトラックロックアセンブリ。
【請求項８】
前記位置ロックアセンブリが前記爪アセンブリと係合したときに第１の表示を提供し、前記位置ロックアセンブリが前記爪アセンブリと係合解除したときに第２の表示を提供するように構成されたセンサをさらに備える、
請求項１乃至請求項７のいずれか１項に記載のトラックロックアセンブリ。
【請求項９】
前記位置ロックアセンブリと前記爪アセンブリとの係合に影響を与えない第１の構成と、前記位置ロックアセンブリが前記爪アセンブリと係合するように付勢される第２の構成とを有する手動ロックアセンブリをさらに備える、
請求項１乃至請求項８のいずれか１項に記載のトラックロックアセンブリ。
【請求項１０】
前記爪アームが前記爪軸と反対側の遠位端に角度爪面を含み、前記スロットが前記角度爪面と相補形の角度端面を有するスロット端を含む、
請求項１乃至請求項９のいずれか１項に記載のトラックロックアセンブリ。
【請求項１１】
トラックをロックする方法であって：
爪施錠位置と爪開錠位置との間で爪軸周りに共に枢動するように構成された爪カム及び爪アームを有する爪アセンブリと、
前記爪アセンブリの前記爪施錠位置と前記爪開錠位置との間の移動を選択可能に許容又は阻止するように構成された位置ロックアセンブリと、
を備えるトラックロックアセンブリを、スライダアセンブリの近位に提供するステップと；
前記スライダアセンブリを前記爪軸に対して垂直な第１の方向に摺動させるステップと；
スライダカムを前記爪開錠位置の前記爪カムに接触させるステップと；
前記スライダカムと前記爪カムとの接触により、前記爪アームの遠位端の、前記スロット内への回転を付勢するステップと；
スロット端を前記遠位端に接触させて前記第１の方向への前記スライダカムの摺動を妨げるステップとを備える；
方法。
【請求項１２】
前記爪アームの前記遠位端が前記スロット内に位置するように、前記位置ロックアセンブリにより、前記爪アセンブリを前記爪施錠位置にロックするステップをさらに備える、
請求項１１に記載の方法。
【請求項１３】
前記位置ロックアセンブリにより、前記爪アセンブリをロック解除するステップと；
前記爪アームの前記遠位端が前記スロットから後退するように、前記爪アセンブリを、前記爪開錠位置へと回転させるステップと；
前記スライダアセンブリを、前記爪軸に対して垂直な前記第１の方向とは反対の第２の方向へ摺動させるステップとをさらに備える、
請求項１２に記載の方法。
【請求項１４】
前記爪アセンブリが、前記爪アセンブリを前記爪開錠位置へと付勢するように構成されたコンプライアント部材をさらに備え；
前記スライダカムと前記爪カムとの接触により、前記爪アームの前記遠位端の前記スロットへの回転を付勢するステップが、前記コンプライアント部材を偏倚させるステップを備え、
前記爪アームの前記遠位端が前記スロットから後退するように前記爪アセンブリを前記爪開錠位置へと回転させるステップが、前記爪アームの前記遠位端が前記スロットから後退するように、前記コンプライアント部材により、前記爪アセンブリの前記爪開錠位置への回転を付勢するステップを備える、
請求項１１乃至請求項１３のいずれか１項に記載の方法。
【請求項１５】
前記位置ロックアセンブリの移動に影響を与えない第１の構成と、前記位置ロックアセンブリが前記ロック開錠位置へと付勢される第２の構成とを有する手動ロックアセンブリを提供するステップと；
前記位置ロックアセンブリを前記ロック開錠位置へと付勢するために、前記手動ロックアセンブリを前記第２の構成に構成するステップとをさらに備える、
請求項１１乃至請求項１４のいずれか１項に記載の方法。
【請求項１６】
前記ロック施錠位置と前記ロック開錠位置とを識別するように構成されたセンサを提供するステップと：
前記センサにより、前記位置ロックアセンブリが前記ロック施錠位置にあるときに第１の表示を提供するステップと；
前記センサにより、前記位置ロックアセンブリが前記ロック開錠位置にあるときに第２の表示を提供するステップとをさらに備える、
請求項１１乃至請求項１５のいずれか１項に記載の方法。
【請求項１７】
前記位置ロックアセンブリにより、前記爪アームが前記爪軸とは反対側の遠位端に角度爪面を含む前記爪アセンブリをロック解除するステップと；
前記スロットが前記角度爪面と相補形の角度端面を有するスロット端を含む前記スライダアセンブリを、前記爪軸に対して垂直な前記第１の方向とは反対の第２の方向に摺動させるステップと；
前記爪アームの前記遠位端が前記スロットから後退するように、前記爪アセンブリの前記爪開錠位置への回転を付勢するために、前記角度端面を前記角度爪面に接触させるステップとをさらに備える、
請求項１１乃至請求項１６のいずれか１項に記載の方法。
【発明の詳細な説明】
【技術分野】
【０００１】
本願は、２０１５年６月１０日に出願された米国特許出願第１４／７３５，８６５号に基づく優先権を主張し、当該米国特許出願のすべての記載内容を援用する。
【０００２】
本明細書はロック機構に関する。
【背景技術】
【０００３】
現在の航空機エンジンは、逆推力作動システムを具備して着陸中の航空機を減速させるように支援することができる。典型的な逆推力装置は、作動位置にあるときにエンジンを通過する空気流の少なくとも一部を反転させる可動要素を含む。エンジンのこのような領域をメンテナンスする間、可動部分は安全のために動きを阻止される。この操作は、可動要素に至る作動油の流れを制御する機器の近傍のユーザにより手動で行われているのが実情である。
【発明の概要】
【０００４】
全般的に、ここではロック機構について述べる。
【０００５】
例えば、第１の側面において、トラックロックアセンブリは、爪アセンブリと；位置ロックアセンブリとを備え；前記爪アセンブリは、爪軸から延在し、スライダアセンブリのスロットと係合するように構成された爪アームと、前記爪軸から前記爪アームとは実質的に反対側に延在し、爪カムを有するカムアームと、前記爪アームが前記スロットと係合して前記スライダアセンブリから延在するスライダカムから前記爪カムが係合解除するような爪施錠位置から、前記爪アームが前記スロットから離れるように偏倚されて前記爪カムが前記スライダアセンブリから延在する前記スライダカムとの接触側に偏倚されるような爪開錠位置へと、前記爪アセンブリの前記爪軸周りの回転を付勢するように構成されたコンプライアント部材とを備える。
【０００６】
第２の側面では、第１の側面において、前記位置ロックアセンブリは、ロック軸から延在する第１のロックアームと、前記第１のロックアームのロック施錠位置とロック開錠位置との間の回転を付勢するように構成されたアクチュエータとを備え、前記第１のロックアームは、前記第１のロックアームが前記ロック施錠位置にあるときに前記爪施錠位置にある前記カムアームと係合して保持し、前記ロック開錠位置では、前記コンプライアント部材が前記爪アセンブリを前記爪開錠位置へと付勢できるように、前記カムアームと係合解除するように構成されている。
【０００７】
第３の側面では、第１の側面又は第２の側面において、前記スライダアセンブリは、前記スライダアセンブリの移動が、前記スライダカムと前記爪カムとの接触及び前記爪アセンブリの前記爪施錠位置への回転を付勢するように、前記スライダカム及び前記スロットを前記爪軸に対して実質的に垂直に摺動させるように構成されている。
【０００８】
第４の側面では、第２の側面又は第３の側面において、前記トラックロックアセンブリは、前記位置ロックアセンブリがロック施錠位置にあるときに第１の表示を提供し、前記位置ロックアセンブリがロック開錠位置にあるときに第２の表示を提供するように構成されたセンサをさらに備える。
【０００９】
第５の側面では、第２の側面乃至第４の側面のいずれか１つの側面において、前記トラックロックアセンブリは、前記位置ロックアセンブリの移動に影響を与えない第１の構成と、前記位置ロックアセンブリがロック開錠位置へと付勢される第２の構成とを有する手動ロックアセンブリをさらに備える。
【００１０】
第６の側面では、第１の側面において、前記位置ロックアセンブリが、前記爪アセンブリを前記爪施錠位置に保持するために前記爪アセンブリと係合することと、前記爪アセンブリの前記爪施錠位置と前記爪開錠位置との間の移動に影響を与えない前記爪アセンブリと係合解除することと、を選択可能に構成されたアクチュエータを備える。
【００１１】
第７の側面では、第６の側面において、前記スライダアセンブリは、前記スライダアセンブリの移動が、前記スライダカムと前記爪カムとの接触を付勢すると共に、前記爪アセンブリの前記爪施錠位置への回転を付勢するように、前記スライダカム及び前記スロットを前記爪軸に対して実質的に垂直に摺動させるように構成されている。
【００１２】
第８の側面では、第１の側面乃至第７の側面のいずれか１つの側面において、前記トラックロックアセンブリは、前記位置ロックアセンブリが前記爪アセンブリと係合したときに第１の表示を提供し、前記位置ロックアセンブリが前記爪アセンブリと係合解除したときに第２の表示を提供するように構成されたセンサをさらに備える。
【００１３】
第９の側面では、第１の側面乃至第８の側面のいずれか１つの側面において、前記トラックロックアセンブリは、前記位置ロックアセンブリと前記爪アセンブリとの係合に影響を与えない第１の構成と、前記位置ロックアセンブリが前記爪アセンブリと係合するように付勢される第２の構成とを有する手動ロックアセンブリをさらに備える。
【００１４】
第１０の側面では、第１の側面乃至第９の側面のいずれか１つの側面において、前記爪アームが前記爪軸と反対側の遠位端に角度爪面を含み、前記スロットが前記角度爪面と相補形の角度端面を有するスロット端を含む。
【００１５】
第１１の側面において、トラックをロックする方法は、爪施錠位置と爪開錠位置との間で爪軸周りに共に枢動するように構成された爪カム及び爪アームを有する爪アセンブリと、前記爪アセンブリの前記爪施錠位置と前記爪開錠位置との間の移動を選択可能に許容又は阻止するように構成された位置ロックアセンブリと、を備えるトラックロックアセンブリを、スライダアセンブリの近位に提供するステップと；前記スライダアセンブリを前記爪軸に対して垂直な第１の方向に摺動させるステップと；スライダカムを前記爪開錠位置の前記爪カムに接触させるステップと；前記スライダカムと前記爪カムとの接触により、前記爪アームの遠位端の、スロット内への回転を付勢するステップと；スロット端を前記遠位端に接触させて前記第１の方向への前記スライダカムの摺動を妨げるステップとを備える。
【００１６】
第１２の側面では、第１１の側面において、前記方法は、前記爪アームの前記遠位端が前記スロット内に位置するように、前記位置ロックアセンブリにより、前記爪アセンブリを前記爪施錠位置にロックするステップをさらに備える。
【００１７】
第１３の側面では、第１２の側面において、前記方法は、前記位置ロックアセンブリにより、前記爪アセンブリをロック解除するステップと；前記爪アームの前記遠位端が前記スロットから後退するように、前記爪アセンブリを、前記爪開錠位置へと回転させるステップと；前記スライダアセンブリを、前記爪軸に対して垂直な前記第１の方向とは反対の第２の方向へ摺動させるステップとをさらに備える。
【００１８】
第１４の側面では、第１１の側面乃至第１３の側面のいずれか１つの側面において、前記爪アセンブリが、前記爪アセンブリを前記爪開錠位置へと付勢するように構成されたコンプライアント部材をさらに備え；並びに前記方法は、前記スライダカムと前記爪カムとの接触により、前記爪アームの前記遠位端の前記スロットへの回転を付勢するステップが、前記コンプライアント部材を偏倚させるステップを備え、前記爪アームの前記遠位端が前記スロットから後退するように前記爪アセンブリを前記爪開錠位置へと回転させるステップが、前記爪アームの前記遠位端が前記スロットから後退するように、前記コンプライアント部材により、前記爪アセンブリの前記爪開錠位置への回転を付勢するステップを備える。
【００１９】
第１５の側面では、第１１の側面乃至第１４の側面のいずれか１つの側面において、前記方法は、前記位置ロックアセンブリの移動に影響を与えない第１の構成と、前記位置ロックアセンブリが前記ロック開錠位置へと付勢される第２の構成とを有する手動ロックアセンブリを提供するステップと；前記位置ロックアセンブリを前記ロック開錠位置へと付勢するために、前記手動ロックアセンブリを前記第２の構成に構成するステップとをさらに備える。
【００２０】
第１６の側面では、第１１の側面乃至第１５の側面のいずれか１つの側面において、前記方法は、前記ロック施錠位置と前記ロック開錠位置とを識別するように構成されたセンサを提供するステップと：前記センサにより、前記位置ロックアセンブリが前記ロック施錠位置にあるときに第１の表示を提供するステップと；前記センサにより、前記位置ロックアセンブリが前記ロック開錠位置にあるときに第２の表示を提供するステップとをさらに備える。
第１７の側面では、第１１の側面乃至第１６の側面のいずれか１つの側面において、前記方法は、前記位置ロックアセンブリにより、前記爪アームが前記爪軸とは反対側の遠位端に角度爪面を含む前記爪アセンブリをロック解除するステップと；前記スロットが前記角度爪面と相補形の角度端面を有するスロット端を含む前記スライダアセンブリを、前記爪軸に対して垂直な前記第１の方向とは反対の第２の方向に摺動させるステップと；前記爪アームの前記遠位端が前記スロットから後退するように、前記爪アセンブリの前記爪開錠位置への回転を付勢するために、前記角度端面を前記角度爪面に接触させるステップとをさらに備える。
【００２１】
ここに記載するシステム及び技法は、以下の利点のうちの１つ以上を提供できる。第１に、本システムは三次的な軽量機構を具備してトランスカウルアセンブリの飛行中の不用意な展開を防ぐことができる。第２に、本システムは、トランスカウルアセンブリ用の三次的な直接駆動型ロックで一般的に用いられる大型のソレノイド及び／又は変速装置に関連する体積、重量及び／又は複雑さを減らすことができる。第３に、本システムは、三次的な直接駆動型ロックのように電力を用いて直動ソレノイド又はモータを作動させるのではなく、トランスカウルアセンブリの運動を利用して三次的なロックを作動させることができる。第４に、本システムは、係止要素（固定要素）を作動させるのではなく係止要素を阻止するためにアクチュエータに動力を供給することにより、アクチュエータのストローク及び／又は消費電力を減らすことができる。
【００２２】
一つ以上の実施の詳細を、添付する図面及び以下の説明に記載する。他の特徴及び利点は、かかる説明及び図面並びに請求項から明らかになる。
【図面の簡単な説明】
【００２３】
【図１】開錠構成におけるトラックロックシステムの例を示すブロック図である。
【００２４】
【図２】施錠構成におけるトラックロックシステムの例を示すブロック図である。
【００２５】
【図３】施錠構成におけるトラックロックシステムの別の例を示すブロック図である。
【００２６】
【図４】開錠構成におけるトラックロックシステムの別の例を示すブロック図である。
【００２７】
【図５】開錠構成におけるトラックロックシステムの別の例を示すブロック図である。
【００２８】
【図６】施錠構成にリセットされたトラックロックシステムの例を示すブロック図である。
【００２９】
【図７】施錠構成にリセットされたトラックロックシステムの別の例を示すブロック図である。
【００３０】
【図８】手動による開錠構成にあるトラックロックシステムの例を示すブロック図である。
【００３１】
【図９】別のトラックロックシステムの例を示すブロック図である。
【００３２】
【図１０】トラックロックシステムを施錠するための工程の例を示すフローチャートである。
【発明を実施するための形態】
【００３３】
ここではロック機構について説明する。より具体的には、例えば、カスケード型ターボファン及びターボジェット逆推力装置のための、並びに可変ファンノズル（ＶＡＦＮ）作動システムのための、逆推力装置作動システムに用いる電動阻止式の三次的なトラックロック機構について説明する。一般に、ここで説明するロック機構は、カスケード型逆推力装置のスライダを直接的にロックできる。ここで説明するトラックロックの三次的なロックは、ピン型のロックに比べて一般に軽量かつコンパクトである。
【００３４】
図１は、開錠構成にある例示のトラックロックシステム１００を示すブロック図である。トラックロックシステム１００は、スライダアセンブリ１０の近位に配置されている。スライダアセンブリ１０は、その表面２１に形成されたスロット２０を含み、直線的に移動するように構成されている。
【００３５】
トラックロックシステム１００は、爪（歯止め）アセンブリ１１０を含む。この例において、トラックロックシステム１００の爪アセンブリ１１０は、開錠構成で示されている。爪アセンブリ１１０は、爪軸１１６から延在する爪アーム１１２と、爪軸１１６とは実質的に半径方向反対側に（例えば、約９０度乃至約１８０度離反して）爪軸１１６から延在するカムアーム１１４とを含む。爪アセンブリ１１０は、爪軸１１６周りを少なくとも部分的に枢動するように構成されている。トラックロックシステム１００は、スライダアセンブリ１０の移動が爪軸１１６の回転に対して実質的に垂直となるように、スライダアセンブリ１０に対して配置されている。
【００３６】
爪アーム１１２は遠位端１１７を含み、この遠位端１１７は、図２の説明でさらに検討するように、爪軸１１６周りを枢動して表面２１及びスロット２０に接触できるようになっている。カムアーム１１４はカム１１８を含み、このカム１１８は、スライダアセンブリ１０側に向けてカムアーム１１４に対して実質的に垂直に延在している。カム１１８は、スライダアセンブリ１０を移動させるとカム１１９に接触するように構成されている。
【００３７】
図２は、施錠構成にある例示のトラックロックシステム１００を示すブロック図である。図示の例では、スライダアセンブリ１０は、矢印２００で示すように、トラックロックアセンブリ１００に対して、かつ、図１に示すスライダアセンブリ１０の位置に対して、動かされた状態にある。
【００３８】
スライダアセンブリ１０の移動は、スライダアセンブリ１０が接続されている外部の固定具又は装備の移動によって付勢（促進）される。例えば、スライダアセンブリ１０は、トランスカウルアセンブリに取り付けられていても、その一部であってもよい。トランスカウルアセンブリが油圧（液圧）、電気、空圧、その他の力により付勢されて移動すると、スライダアセンブリ１０も付勢されて移動する。
【００３９】
スライダアセンブリ１０の移動によりカム１１９がカム１１８に接触する。カム１１９とカム１１８との接触により、矢印２０２で示すように、爪アセンブリ１１０が爪軸１１６周りに枢動する。爪軸１１６の回転により、爪アーム１１２がスロット２０内へ延在し、遠位端１１７がスロット２０と接触する又は接触間際となり、爪開錠構成から爪施錠構成へ移行する。
【００４０】
爪アセンブリ１１０の回転により、ロック施錠構成にある位置ロックアセンブリ１５０のロックアーム１５２に対して、カムアーム１１４が干渉しながら接触する。図４乃至図８の説明で詳細に検討するように、位置ロックアセンブリ１５０は、ロック施錠構成とロック開錠構成との間を作動することができる。ロック施錠構成は爪アセンブリ１１０を爪施錠構成に保持することができ、ロック開錠構成は爪アセンブリ１１０の爪開錠構成と爪施錠構成との間の移動を妨げない。
【００４１】
爪軸１１６は、爪アセンブリ１１０を、爪開錠構成に向けて付勢するトルクを与える、ばね等のコンプライアント部材（柔軟性を付加した変形する部材）１６０を含む。カム１１９とカム１１８との接触により、さらに、コンプライアント部材１６０の偏倚力（バイアス）に抗して（例えば部分的にばねを巻き上げる）爪アセンブリ１１０が回転する。位置ロックアセンブリ１５０がロック施錠構成にある場合、図３及び図７の説明で検討するように、位置ロックアセンブリ１５０は、コンプライアント部材１６０のトルクに抗し、爪アセンブリ１１０を爪施錠構成に保つ。位置ロックアセンブリ１５０がロック開錠構成にある場合、図４及び図５の説明で検討するように、コンプライアント部材１６０は、爪アセンブリ１１０にトルクを与えて爪開錠構成とする（例えば部分的にばね１６０を巻き戻す）ことができる。
【００４２】
後により詳細に説明する図７をかいつまんで参照すると、ブロック図は、カム１１９がカム１１８と接触していないトラックロックシステム１００の別の例を示している。カムアーム１１４と、ロック施錠位置にあるロックアーム１５２と、の機械的干渉に起因して、爪アセンブリ１１０は爪施錠構成に保たれる。
【００４３】
図３は、施錠構成にあるトラックロックシステム１００の別の例を示すブロック図である。この例では、トラックロックシステム１００は、スライダアセンブリ１０の飛行中の不用意な展開を防止している。図示の例において、スライダアセンブリ１０は、矢印３００で示すように、トラックロックアセンブリ１００に対して、かつ、図２に図示するスライダアセンブリ１０の位置に対して、動かされた状態にある。
【００４４】
図示の例において、カム１１９は、カム１１８と接触しないところまで移動している。ロックアーム１５２とカムアーム１１４との干渉が、コンプライアント部材１６０によって与えられるトルクに抗し、爪アセンブリ１１０を爪施錠構成に保持する。スライダアセンブリ１０が移動し続けると、爪アーム１１２の遠位端１１７がスロット２０のスロット端２２に接触する。遠位端１１７とスロット端２２との接触は、矢印３００で示す、スロットアセンブリ１０のさらなる移動に抗する。
【００４５】
図４は、開錠構成にあるトラックロックシステム１００の別の例を示すブロック図である。図示の例において、スライダアセンブリ１０は、矢印４００で示すように、トラックロックアセンブリ１００に対して、かつ、図２に示すスライダアセンブリ１０の位置に対して、動かされた状態にある。
【００４６】
図示の例では、（例えば、図７と比較すると）、位置ロックアセンブリ１５０は、ロック開錠構成になされている。位置ロックアセンブリ１５０は、ロック軸１５６から延在するロックアーム１５２と、ロックアーム１５２とは実質的に反対側に（例えば、およそ１８０度離れて）ロック軸１５６から延在するスイッチアーム１５４とを含む。ロック軸１５６を部分的に回転することにより、位置ロックアセンブリ１５０を、ロック施錠構成とロック開錠構成との間を移動させることができる。
【００４７】
位置ロックアセンブリ１５０は、ソレノイド１７０に付勢されて動く。ソレノイド１７０は、ロックアーム１５２に接続されるプランジャ１７２を含む。ただし、実施の形態によっては、プランジャ１７２を、スイッチアーム１５４又は位置ロックアセンブリ１５０の他の任意で適切な部分に接続することもできる。通電されると、ソレノイド１７０及びプランジャ１７２は、矢印４１０で示すように、ロック施錠構成からロック開錠構成への位置ロックアセンブリ１５０の動きを付勢する。
【００４８】
ロック開錠構成では、ロックアーム１５２は、カムアーム１１４と接触しないところまで動かされる。位置ロックアセンブリ１５０がロック開錠構成にあるとき、爪アセンブリ１１０は、矢印４２０で示すように、コンプライアント部材１６０によって爪開錠位置に向けて付勢されることができる。例えば、スライダアセンブリ１０が図２に示す位置から図４に示す位置まで移動すると、カム１１９は、カム１１８との接触から離れるように移動する。カム１１８は、コンプライアント部材１６０により与えられるトルクで付勢されているので、カム１１９の輪郭に追従し、よって、爪アセンブリ１１０は、その遠位端１１７を、スロット２０の外へ、表面２１の上方位置まで回転する。
【００４９】
位置ロックアセンブリ１５０は、スイッチ１８０をさらに含む。スイッチ１８０は、スイッチアーム１５４と接触可能なプランジャ１８２を含む。ただし、実施の形態によっては、プランジャ１８２は、ロックアーム１５２又は位置ロックアセンブリ１５０の他の任意で適切な部分に接続することもできる。プランジャ１８２は、位置ロックアセンブリ１５０がロック施錠位置にあるときにスイッチ１８０が信号ポート１８４で第１の出力信号を送り、位置ロックアセンブリ１５０がロック開錠位置にあるときにスイッチ１８０が信号ポート１８４で第２の出力信号を送るように、スイッチ１８０を作動させるべく構成されている。実施の形態によっては、信号出力ポート１８４は、表示灯、コントローラ、ブザー、又は位置ロックアセンブリ１５０がロック施錠構成へ移行するとき及びそこから復帰するときに状態を変えることができる他の任意で適切な外部デバイス（例えば、電子エンジンコントローラ（ＥＥＣ）、全デジタル電子式エンジンコントローラ（ＦＡＤＥＣ））との間で通信可能である。
【００５０】
図５は、開錠構成にあるトラックロックシステム１００の別の例を示すブロック図である。図示の例において、スライダアセンブリ１０は、矢印５００で示すように、トラックロックアセンブリ１００に対して、かつ、図４に示すスライダアセンブリ１０の位置に対して、動かされた状態にある。遠位端１１７がスロット２０の外に位置する状態で、スライダアセンブリ１０は、爪アーム１１２とスロット端２２との干渉を引き起こすことなく移動し続けることができる。
【００５１】
図６は、施錠構成にリセットされたトラックロックシステム１００の例を示すブロック図である。図示の例において、スライダアセンブリ１０は、矢印６００で示すように、トラックロックアセンブリ１００に対して、かつ、図５に示すスライダアセンブリ１０の位置に対して、移動した状態にある。
【００５２】
図示の例では、ソレノイド１７０を解除すると、プランジャ１７２は延在し、矢印６１０で示すように、位置ロックアセンブリ１５０は、ロック軸１５６周りに、ロック施錠位置まで部分的に回転する。ロック施錠位置では、スイッチアーム１５４がプランジャ１８２と接触し、位置ロックアセンブリ１５０がロック施錠構成にあることを示すために信号を信号ポート１８４で供給するようにスイッチ１８０を作動する。
【００５３】
スライダアセンブリ１０が移動する（例えば、油圧下で）と、カム１１９はカム１１８と接触する。カム１１８はカム１１９に追従し、矢印６２０で示すように、スライダアセンブリ１０の横方向の動きから爪アセンブリ１１０の回転方向の動きへとエネルギを移す。カム１１９とカム１１８との接触は、コンプライアント部材１６０の偏倚力に抗して爪アセンブリ１１０を爪施錠構成へと回転させる。位置ロックアセンブリ１５０がロック施錠構成にある場合、ロックアーム１５２はカムアーム１１４の移動を妨げ、ロックアセンブリ１１０を爪施錠構成に保持する。実施によっては、位置ロックアセンブリ１５０が爪アセンブリ１１０を開錠構成へと解放するように、ソレノイド１７０を再度通電することもできる。
【００５４】
図７は、爪施錠構成にリセットされたトラックロックシステム１００の別の例を示すブロック図である。実施によっては、爪施錠構成は、トラックロックシステム１００の通常飛行中の位置及び／又は地上での位置であってもよい。図示の例では、カム１１９はカム１１８と接触していない。コンプライアント部材１６０は、爪アセンブリ１１０の爪ロック解除位置へ向かう回転と、スロット２０からの遠位端１１７の離脱とを付勢（強要）する偏倚力を与える。爪アセンブリ１１０は、カムアーム１１４と、ロック施錠位置にあるロックアーム１５２と、の機械的干渉のために、施錠構成に保たれる。
【００５５】
位置ロックアセンブリ１５０は、手動の無効化（オーバーライド）アセンブリ１９０を含む。手動の無効化アセンブリ１９０は、無効化非作動構成及び無効化作動構成に構成可能である。手動の無効化アセンブリ１９０は、無効化アーム１９２が手動の無効化アセンブリ１９０の回転軸から偏位（オフセット）した回転式アセンブリである。無効化非作動構成では、無効化アーム１９２が、プランジャ１７２に連結されたプランジャアーム１９４の移動を妨げないように、無効化アーム１９２は偏位している。例えば、ソレノイド１７０への通電を断続すると、プランジャ１７２は主軸に沿って移動し、プランジャアーム１９４は無効化アーム１９２と接触せずにプランジャ１７２と共に移動する。
【００５６】
図８は、手動による開錠構成にあるトラックロックシステムの例を示すブロック図である。図示の例では、手動の無効化アセンブリ１９０は、矢印８１０で示すように、無効化作動構成へと回転させられたところである。手動の無効化アセンブリ１９０を回転させると、手動の無効化アーム１９２が移動してプランジャアーム１９４と接触し、矢印８２０で示すように、プランジャ１７２の（例えば、さらには位置ロックアセンブリ１５０の）ロック開錠構成への移動を付勢する。例えば、ソレノイド１７０への通電を断続した際に、手動の無効化アーム１９２とプランジャアーム１９４との接触は、プランジャ１７２がその主軸に沿ってロック開錠構成から移動することを防げる。
【００５７】
手動の無効化アセンブリ１９０又はソレノイド１７０の作動によって、位置ロックアセンブリ１５０がロック開錠構成にある場合、爪アセンブリ１１０は、矢印８３０で示すように、回転して爪開錠構成となることができる。実施の形態によっては、手動の無効化アセンブリ１９０は、位置ロックアセンブリ１５０をロック施錠構成にする、位置ロックアセンブリ１５０をロック開錠構成にする、ソレノイド１７０の動作を妨げない、又は、これらの作用の組み合わせを遂行するように構成されてもよい。
【００５８】
実施の形態によっては、位置ロックアセンブリ１５０は、クラッチアセンブリ、又は爪軸１１６の回転を選択可能に阻止及び許容することができる他の任意適切なアセンブリであってもよい。例えば、クラッチを爪軸上に設けてもよい。クラッチの非作動時、爪軸１１６の枢動が許容されてもよい。クラッチの作動時、爪軸１１６は機械的にブロックされて爪アセンブリ１１０を動けないようにしてもよい。
【００５９】
図９は、別のトラックロックシステム９００の例を示すブロック図である。トラックロックシステム９００は、爪アセンブリ９１０を含む。この例では、トラックロックシステム９００の爪アセンブリ９１０は、開錠構成で示されている。爪アセンブリ９１０は、爪軸１１６から延在する爪アーム１１２と、爪軸１１６とは実質的に径方向反対側に爪軸１１６から延在するカムアーム１１４とを含む。爪アセンブリ９１０は、爪軸１１６周りに少なくとも部分的に枢動するように構成されている。トラックロックシステム９００は、スライダアセンブリ１０の移動が爪軸１１６の回転に対して実質的に垂直となるように、スライダアセンブリ１０に対して配置される。
【００６０】
爪アーム１１２は、先に図２の説明で検討したように、爪軸１１６周りに枢動させて表面２１及びスロット２０と接触させることが可能な遠位端９１７を含む。遠位端９１７は、スロット２０の角度スロット端９２２と接触するように構成されている角度面９１８を含む。スライダアセンブリ１０が移動すると、爪アーム１１２の遠位端９１７は、角度スロット端９２２と接触する。遠位端９１７と角度スロット端９２２との接触は、矢印９０１で示すスライダアセンブリ１０のさらなる移動に抵抗する。
【００６１】
位置ロックアセンブリ１５０が通常の作動条件下で開錠された場合、コンプライアント部材１６０は、遠位端９１７を回転させてスロット２０から出す。しかし、異常な作動条件下では、爪アセンブリ９１０は、コンプライアント部材１６０のみの付勢のもとでは回転できないことがある。例えば、航空機の用途では、氷結が、スライダアセンブリ１０（例えば、スロット２０内の着氷）及び／又は爪アセンブリ９１０を含む航空機の外表面で起こり、コンプライアント部材１６０の偏倚力に抵抗することがある。爪アセンブリ９１０がコンプライアント部材１６０のみの偏倚力によって移動することが防止される条件下では、スライダアセンブリ１０が矢印９０１で示すように移動すると、角度面９１８は、角度スロット端９２２と摺動接触状態にされ得る。スライダアセンブリ１０が移動し続ける（例えば、油圧下で）と、角度面９１８に対する角度スロット端９２２の相対移動は、爪アセンブリ９１０の回転を開錠構成へと付勢する追加の力を供給し得る。実施の形態によっては、スライダアセンブリ１０の力のもとでの角度面９１８に対する角度スロット端９２２の相対移動は、氷又は他の破片をスロット２０から取り除く働きをすることもできる。
【００６２】
図１０は、トラックロックシステムを施錠するための工程１０００の例を示すフローチャートである。実施によっては、工程１０００は、図１乃至図９のトラックロックシステムと共に用いることができる。
【００６３】
ステップ１０１０において、トラックロックアセンブリがスライダアセンブリの近位に提供される。トラックロックアセンブリは、爪軸周りに爪施錠位置と爪開錠位置との間で共に枢動するように構成されている爪カムと爪アームとを有する爪アセンブリと、爪施錠位置と爪開錠位置との間の爪アセンブリの移動を選択可能に許容又は阻止するように構成されている位置ロックアセンブリとを含む。例えば、トラックロックアセンブリ１００は、爪アーム１１２がスロット２０に到達できるほど十分にスライダアセンブリ１０の近くに設けることができる。
【００６４】
ステップ１０２０において、スライダアセンブリが、爪軸に対して垂直な第１の方向に摺動される。例えば、スライダアセンブリ１０を、図２の矢印２００で示す方向に移動することができる。
【００６５】
ステップ１０３０において、スライダカムが、爪開錠位置の爪カムに接触する。ステップ１０４０において、スライダカムと爪カムとの接触が、爪アームの遠位端の回転を付勢してこの遠位端をスロットへと進入させる。例えば、スライダアセンブリ１０を図１に示す爪アセンブリ１１０の位置から図２に示す位置へと移動させると、カム１１９はカム１１８に接触する。油圧又は他の機械力によりスライダアセンブリを矢印２００で示すように移動させ、カム１１９とカム１１８とが接触して爪アセンブリを枢動させて、爪アーム１１２が延在して遠位端１１７をスロット２０へと進入させる。
【００６６】
ステップ１０５０において、スロット端が遠位端に接触し、第１の方向へのスライダの摺動きを妨げる。例えば、図３に示すように、スライダアセンブリ１０は、矢印３００で示すようにさらに移動したところで、スロット端２２が遠位端１１７に接触する。
【００６７】
実施によっては、工程１０００は、爪アームの遠位端がスロット内に位置するように、位置ロックアセンブリにより、爪アセンブリを爪施錠位置にロックするステップをさらに含むことができる。例えば、位置ロックアセンブリ１５０を、遠位端１１７が回転してスロット２０から出ることを防止できる、ロック施錠構成にすることができる。
【００６８】
実施によっては、工程１０００は、爪アームの遠位端がスロットから後退し、スライダアセンブリを爪軸に対して垂直な第１の方向とは反対の第２の方向に摺動させるように、位置ロックアセンブリにより、爪アセンブリを開錠し、爪アセンブリを爪開錠位置へと回転するステップをさらに含むことができる。例えば、図４のように、位置ロックアセンブリ１５０をロック開錠構成にするようにソレノイド１７０を作動させ、ロック施錠構成は、スライダアセンブリ１０の矢印４００の方向への移動を許容するために、遠位端１１７がスロット２０から出る回転をさせるコンプライアント部材１６０の付勢を可能にする。
【００６９】
実施によっては、爪アセンブリは、爪アセンブリを爪開錠位置へと付勢するように構成されたコンプライアント部材をさらに含み、工程１０００では、スライダカムと爪カムとの接触により、爪アームの遠位端のスロットへの回転を付勢するステップが、コンプライアント部材を偏倚させる（かたよらせる）ステップをさらに含み、爪アームの遠位端がスロットから後退するように、爪アセンブリを爪開錠位置へと回転させるステップが、爪アームの遠位端がスロットから後退するように、コンプライアント部材により、爪アセンブリの爪開錠位置への回転を付勢するステップを含むことができる。例えば、爪軸１１６は、コンプライアント部材１６０を含む。コンプライアント部材１６０は、ばね、又は偏倚力を供給して爪アセンブリ１１０を図４に示すような開錠構成へと枢動させることができる他の弾性素子とすることができる。
【００７０】
実施によっては、工程１０００は、位置ロックアセンブリの移動に影響を与えない第１の構成と、位置ロックアセンブリがロック開錠位置へと付勢される第２の構成と、を有する手動ロックアセンブリを提供するステップと、手動ロックアセンブリを第２の構成に設定して位置ロックアセンブリをロック開錠位置へと付勢するステップとを含むことができる。例えば、トラックロックアセンブリ１００は、手動の無効化アセンブリ１９０を含む。手動の無効化アセンブリ１９０は、図７に示すように無効化非作動構成とすることができると共に、図８に示すように無効化作動構成とすることができる。
【００７１】
実施によっては、工程１０００は、ロック施錠位置とロック開錠位置とを識別するように構成されたセンサを提供するステップを含み、位置ロックアセンブリがロック開錠位置にあるときに第２の表示を提供し、ロックアセンブリがロック施錠位置にあるときにセンサにより第１の表示を提供し、ロックアセンブリがロック開錠位置にあるときにセンサにより第２の表示を提供することができる。例えば、位置ロックアセンブリ１５０はスイッチ１８０を含み、このスイッチ１８０は、位置ロックアセンブリ１５０がロック施錠構成にあるかロック開錠構成にあるかを信号ポート１８４で示す信号を供給するように構成されている。
【００７２】
いくつかの実施について、以上詳細に説明したが、他の改変も可能である。例えば、各図に示す論理的なフローにとって、示された特定の順序又は順番は望ましい結果を得るための要件ではない。また、他のステップを加えてもよく、記載したフローからあるステップを除いてもよく、記載したシステムに他の構成要素を加えてもよく、それから除いてもよい。したがって、他の実施は、本願請求項の範囲に含まれる。
【符号の説明】
【００７３】
１０    スライダアセンブリ
２０    スロット
１００  トラックロックシステム
１１０  爪アセンブリ
１１２  爪アーム
１１４  カムアーム
１１６  爪軸
１１７  遠位端
１１８、１１９  カム
１５０  位置ロックアセンブリ
１５２  ロックアーム
１５４  スイッチアーム
１５６  ロック軸
１６０  コンプライアント部材
１７０  ソレノイド
１７２  プランジャ
１８０  スイッチ
１８２  プランジャ
１８４  信号ポート
１９０  無効化アセンブリ
１９２  無効化アーム
【図１】
2018522771.tif 000003
【図２】
2018522771.tif 000004
【図３】
2018522771.tif 000005
【図４】
2018522771.tif 000006
【図５】
2018522771.tif 000007
【図６】
2018522771.tif 000008
【図７】
2018522771.tif 000009
【図８】
2018522771.tif 000010
【図９】
2018522771.tif 000011
【図１０】
2018522771.tif 000012
【国際調査報告】
2018522771.tif 000013
2018522771.tif 000014
2018522771.tif 000015